(57)【要約】      （修正有）【課題】聴覚システムに無線音声ストリームを送信する音声システムを提供する。【解決手段】音声システム２は、通信ユニット４と無線システムを備え、無線システム８は、少なくとも、第１の音声ストリーム１６を、第１の音声ストリームを示す第１の音声識別データとともに送信し、第２の音声ストリーム１６’を、第２の音声ストリームを示す第２の音声識別データとともに送信する複数の据え置き型の送信機ユニット１０を備え、通信ユニットは、聴覚システム６から音声トラックを示すリクエストを受信するステップと、音声トラックを示すリクエストに基づいて、聴覚システムについての構成データを決定するステップと、聴覚システムがリクエストにおいて示された音声トラックを表す第１の音声ストリームおよび第２の音声ストリームの一方を受信できるようにするために、聴覚システムに構成データを送信するステップを有する。【選択図】図１
2014195244.tif 000002
【特許請求の範囲】
【請求項１】
聴覚システムに無線音声ストリームを送信する音声システムを動作させる方法であって、
前記無線音声ストリームが、第１の音声ストリームと第２の音声ストリームを備えており、
前記音声システムが、通信ユニットと無線システムを備えており、
前記無線システムが、少なくとも、前記第１の音声ストリームを、前記第１の音声ストリームを示す第１の音声識別データとともに送信し、前記第２の音声ストリームを、前記第２の音声ストリームを示す第２の音声識別データとともに送信する、複数の据え置き型の送信機ユニットを備えており、
前記複数の据え置き型の送信機ユニットが、第１の送信機ユニットと第２の送信機ユニットを含んでおり、
前記方法は、
音声トラックを示すリクエストを受信するステップと、
前記音声トラックを示す前記リクエストに基づいて、前記聴覚システムについての構成データを決定するステップと、
前記聴覚システムが前記リクエストにおいて示された前記音声トラックを表す前記第１の音声ストリームおよび前記第２の音声ストリームの一方を受信できるようにするために、前記聴覚システムに前記構成データを送信するステップを備えている方法。
【請求項２】
前記聴覚システムに前記構成データを送信する前記ステップが、前記聴覚システムの聴覚装置に前記構成データを送信するステップを備えている、請求項１の方法。
【請求項３】
前記聴覚システムに前記構成データを送信する前記ステップが、２．４ＧＨｚから２．５ＧＨｚまでの任意の周波数で、８００ＭＨｚから１ＧＨｚまでの任意の周波数で、および／または１３ＭＨｚから１４ＭＨｚまでの任意の周波数で、前記構成データを送信するステップを備えている、請求項１の方法。
【請求項４】
前記構成データが、前記リクエストにおいて示された前記音声トラックを表す前記第１の音声ストリームおよび前記第２の音声ストリームの一方の音声識別データの少なくとも一部を備えている、請求項１の方法。
【請求項５】
前記音声識別データが、送信機識別データ、送信機グループ識別データ、音声グループ識別データ、音声タイプ識別データ、および音声プロトコル識別データのうちの１つまたはそれ以上を備えている、請求項１の方法。
【請求項６】
前記構成データが、第１の聴覚システムのモデルまたはタイプについての第１の構成データと、第２の聴覚システムのモデルまたはタイプについての第２の構成データを備えている、請求項１の方法。
【請求項７】
前記音声トラックを示す前記リクエストが、聴覚システムデータを備えている、請求項１の方法。
【請求項８】
前記聴覚システムに前記構成データを送信する前記ステップが、前記聴覚システムの付属装置に前記構成データを送信するステップを備えている、請求項１の方法。
【請求項９】
前記付属装置が、携帯電話、タブレットコンピュータ、スマートフォン、聴覚装置リモコンユニット、またはカードキーを備えている、請求項８の方法。
【請求項１０】
聴覚システムに無線音声ストリームを送信する音声システムであって、
複数の据え置き型の送信機ユニットを備える無線システムと、
前記聴覚システムに構成データを送信する通信ユニットを備えており、
前記複数の据え置き型の送信機ユニットが、少なくとも、第１の音声ストリームを、前記第１の音声ストリームを示す第１の音声識別データとともに送信し、第２の音声ストリームを、前記第２の音声ストリームを示す第２の音声識別データとともに送信するように構成されており、
前記複数の据え置き型の送信機ユニットが、第１の送信機ユニットと第２の送信機ユニットを備えており、
前記通信ユニットが、
音声トラックを示すリクエストを受信し、
前記音声トラックを示す前記リクエストに基づいて前記聴覚システムについての構成データを決定し、
前記聴覚システムが前記リクエストにおいて示された前記音声トラックを表す前記第１の音声ストリームおよび前記第２の音声ストリームの一方を受信できるようにするために、前記聴覚システムに前記構成データを送信するように構成されている、音声システム。
【請求項１１】
前記通信ユニットが、前記聴覚システムの聴覚装置に前記構成データを送信する無線送信機を備えている、請求項１０の音声システム。
【請求項１２】
前記通信ユニットが、前記聴覚システムに前記音声トラックを示す前記リクエストに基づく前記構成データを送信するように構成された近距離無線通信装置を備えている、請求項１０の音声システム。
【請求項１３】
前記無線システムが、前記複数の送信機ユニットに接続された無線システム制御ユニットを備えており、
前記無線システム制御ユニットが、前記複数の送信機ユニットを制御するように構成されている、請求項１０の音声システム。
【請求項１４】
前記通信ユニットに接続されたユーザインターフェースユニットをさらに備えており、
前記ユーザインターフェースユニットが、前記音声トラックを示す前記リクエストを受け入れ、前記受け入れたリクエストを前記通信ユニットへ送信するように構成されている、請求項１０の音声システム。
【請求項１５】
前記通信ユニットが、前記聴覚システムの付属装置に、前記音声トラックを示す前記リクエストに基づいた前記構成データを送信するように構成されている、請求項１０の音声システム。
【請求項１６】
前記複数の据え置き型の送信機ユニットの少なくとも１つが、前記音声トラックを表す電磁信号の形態の前記第１の音声ストリームおよび前記第２の音声ストリームの一方を送信するように構成されている、請求項１０の音声システム。
【発明の詳細な説明】
【技術分野】
【０００１】
本開示は、無線音声ストリームを送信する音声システムを動作させる方法に関する。さらに、無線音声ストリームを送信する音声システムが提供される。特に、聴覚システムに無線音声ストリームを送信する方法および音声システムが提供される。
【背景技術】
【０００２】
聴覚装置との間の無線通信は、無線通信技術の継続的な発展の中で増加しつつある。音声が群衆に配信される混雑した環境、例えば空港や映画館においては、限られた帯域幅を有しており、様々な音声ストリームを分離する機能が限られているテレコイルを解決策として、音声をストリーム配信することが知られている。
【０００３】
さらに、例えば複合映画館の複数の上映会場など、隣接する放送エリアからの音声ストリームは、受信装置が複数の音声ストリームを分離および区別することができることを重ねて要求している。
【発明の概要】
【発明が解決しようとする課題】
【０００４】
既知の解決策にもかかわらず、無線で送信される様々な音声ストリームを、混雑した環境下において、個人的に聴き取れるようにすることが、必要とされている。
【０００５】
聴覚システムのユーザにとっては、簡単かつ効果的な手法で、所望の音声ストリームを個人的なものとし、かつ選択する必要性も存在する。
【課題を解決するための手段】
【０００６】
従って、音声ストリーム配信のための音声システムが開示される。前記音声システムは、少なくとも、第１の音声ストリームを、前記第１の音声ストリームを示す第１の音声識別データとともに送信するように構成されており、少なくとも、第２の音声ストリームを、前記第２の音声ストリームを示す第２の音声識別データとともに送信するように構成されている、１つまたは複数の据え置き型の送信機ユニットを備える無線システムを備えている。前記複数の据え置き型の送信機ユニットは、第１の送信機ユニットと第２の送信機ユニットを備えている。前記音声システムは、前記聴覚システムに構成データを送信する通信ユニットを備えている。前記通信ユニットは、少なくとも１つの音声トラックを示すリクエストを受信し、例えば少なくとも１つの音声トラックを示す前記リクエストに基づいて、前記聴覚システムについての構成データを決定し、前記聴覚システムが前記リクエストにおいて示された前記音声トラックを表す少なくとも１つの音声ストリームを受信できるようにするために、前記聴覚システムに前記構成データを送信するように構成されている。
【０００７】
聴覚システムに無線音声ストリームを送信する音声システムを動作させる方法も開示される。音声ストリームは、音声トラックを表す電磁信号である。前記音声システムは、通信ユニットと無線システムを備えている。前記無線システムは、少なくとも、第１の音声ストリームを、前記第１の音声ストリームを示す第１の音声識別データとともに送信し、必要に応じて、第２の音声ストリームを、前記第２の音声ストリームを示す第２の音声識別データとともに送信する、１つまたは複数の据え置き型の送信機ユニットを備えている。前記複数の据え置き型の送信機ユニットは、第１の送信機ユニットと第２の送信機ユニットを含んでいる。前記方法は、例えば通信ユニットにおいて、少なくとも１つの音声トラックを示すリクエストを受信するステップと、例えば少なくとも１つの音声トラックを示す前記リクエストに基づいて、前記聴覚システムについての構成データを決定するステップと、前記聴覚システムが前記リクエストにおいて示された前記音声トラックを表す少なくとも１つの音声ストリームを受信できるようにするために、前記聴覚システムに前記構成データを送信するステップを備えている。
【０００８】
上記の方法および音声システムは、例えば空港や複合映画館といった多重ストリーム環境における効果的な音声ストリーム配信のための聴覚装置の受信機の簡素な構成を提供することができる。さらに、上記の方法および音声システムは、聴覚装置から送信されるデータの要求を低減することによって、聴覚装置の省電力化を可能にする。
【０００９】
聴覚システムに無線音声ストリームを送信する音声システムを動作させる方法が開示される。前記無線音声ストリームは、第１の音声ストリームと第２の音声ストリームを備えている。前記音声システムは、通信ユニットと無線システムを備えている。前記無線システムは、少なくとも、前記第１の音声ストリームを、前記第１の音声ストリームを示す第１の音声識別データとともに送信し、前記第２の音声ストリームを、前記第２の音声ストリームを示す第２の音声識別データとともに送信する、複数の据え置き型の送信機ユニットを備えている。前記複数の据え置き型の送信機ユニットは、第１の送信機ユニットと第２の送信機ユニットを含んでいる。前記方法は、音声トラックを示すリクエストを受信するステップと、前記音声トラックを示す前記リクエストに基づいて、前記聴覚システムについての構成データを決定するステップと、前記聴覚システムが前記リクエストにおいて示された前記音声トラックを表す前記第１の音声ストリームおよび前記第２の音声ストリームの一方を受信できるようにするために、前記聴覚システムに前記構成データを送信するステップを備えている。
【００１０】
必要に応じて、前記聴覚システムに前記構成データを送信する前記ステップは、前記聴覚システムの聴覚装置に前記構成データを送信するステップを備えていてもよい。
【００１１】
必要に応じて、前記聴覚システムに前記構成データを送信する前記ステップは、２．４ＧＨｚから２．５ＧＨｚまでの任意の周波数で、８００ＭＨｚから１ＧＨｚまでの任意の周波数で、および／または１３ＭＨｚから１４ＭＨｚまでの任意の周波数で、前記構成データを送信するステップを備えていてもよい。
【００１２】
必要に応じて、前記構成データは、前記リクエストにおいて示された前記音声トラックを表す前記第１の音声ストリームおよび前記第２の音声ストリームの一方の音声識別データの少なくとも一部を備えていてもよい。
【００１３】
必要に応じて、前記音声識別データは、送信機識別データ、送信機グループ識別データ、音声グループ識別データ、音声タイプ識別データ、および音声プロトコル識別データのうちの１つまたはそれ以上を備えていてもよい。
【００１４】
必要に応じて、前記構成データは、第１の聴覚システムのモデルまたはタイプについての第１の構成データと、第２の聴覚システムのモデルまたはタイプについての第２の構成データを備えていてもよい。
【００１５】
必要に応じて、前記音声トラックを示す前記リクエストは、聴覚システムデータを備えていてもよい。
【００１６】
必要に応じて、前記聴覚システムに前記構成データを送信する前記ステップは、前記聴覚システムの付属装置に前記構成データを送信するステップを備えていてもよい。
【００１７】
必要に応じて、前記付属装置は、携帯電話、タブレットコンピュータ、スマートフォン、聴覚装置リモコンユニット、またはカードキーを備えていてもよい。
【００１８】
聴覚システムに無線音声ストリームを送信する音声システムが開示される。前記音声システムは、複数の据え置き型の送信機ユニットを備える無線システムと、前記聴覚システムに構成データを送信する通信ユニットを備えている。前記複数の据え置き型の送信機ユニットは、少なくとも、第１の音声ストリームを、前記第１の音声ストリームを示す第１の音声識別データとともに送信し、第２の音声ストリームを、前記第２の音声ストリームを示す第２の音声識別データとともに送信するように構成されている。前記複数の据え置き型の送信機ユニットは、第１の送信機ユニットと第２の送信機ユニットを備えている。前記通信ユニットは、音声トラックを示すリクエストを受信し、前記音声トラックを示す前記リクエストに基づいて前記聴覚システムについての構成データを決定し、前記聴覚システムが前記リクエストにおいて示された前記音声トラックを表す前記第１の音声ストリームおよび前記第２の音声ストリームの一方を受信できるようにするために、前記聴覚システムに前記構成データを送信するように構成されている。
【００１９】
必要に応じて、前記通信ユニットが、前記聴覚システムの聴覚装置に前記構成データを送信する無線送信機を備えていてもよい。
【００２０】
必要に応じて、前記通信ユニットは、前記聴覚システムに前記音声トラックを示す前記リクエストに基づく前記構成データを送信するように構成された近距離無線通信装置を備えていてもよい。
【００２１】
必要に応じて、前記無線システムが、前記複数の送信機ユニットに接続された無線システム制御ユニットを備えていてもよく、前記無線システム制御ユニットが、前記複数の送信機ユニットを制御するように構成されていてもよい。
【００２２】
必要に応じて、前記通信ユニットに接続されたユーザインターフェースユニットをさらに備えており、前記ユーザインターフェースユニットが、前記音声トラックを示す前記リクエストを受け入れ、前記受け入れたリクエストを前記通信ユニットへ送信するように構成されていてもよい。
【００２３】
必要に応じて、前記通信ユニットが、前記聴覚システムの付属装置に、前記音声トラックを示す前記リクエストに基づいた前記構成データを送信するように構成されていてもよい。
【００２４】
必要に応じて、前記複数の据え置き型の送信機ユニットの少なくとも１つが、前記音声トラックを表す電磁信号の形態の前記第１の音声ストリームおよび前記第２の音声ストリームの一方を送信するように構成されていてもよい。
【００２５】
上記及び他の態様および特徴は、以下の実施形態の詳細な説明を読むことで明らかとなるであろう。
【図面の簡単な説明】
【００２６】
図面は、実施形態の設計および有用性を示しており、同様の要素は共通の参照番号で参照される。これらの図面は必ずしも一定の縮尺で描かれていない。上記およびその他の利点および目的がいかにして得られるかを理解しやすくするために、実施形態のより具体的な説明が提供され、添付の図面に示される。これらの図面は、特許請求の範囲を限定するものと考えるべきではない。
【図１】聴覚システムの例示的な音声システムを模式的に示す。
【図２】聴覚システムの例示的な音声システムを模式的に示す。
【図３】聴覚システムの例示的な音声システムを模式的に示す。
【図４】聴覚システムの例示的な音声システムを模式的に示す。
【図５】いくつかの実施形態による例示的な方法のフローチャートである。
【発明を実施するための形態】
【００２７】
様々な実施形態について、図面を参照して説明する。なお、図面は縮尺通りに描かれていないこと、および類似の構造または機能の要素は、図面全体を通して同様の参照番号によって表されることに留意すべきである。また、図面は、実施形態の説明を容易にすることのみを意図したものであることに留意すべきである。それらは、特許請求の範囲に記載された発明の網羅的な説明を意図するものでもないし、または特許請求の範囲を限定することを意図するものでもない。また、図示した実施形態では、図示されるすべての特徴または利点を必ずしも有している必要はない。特定の実施形態に関連して説明される特徴または利点は、必ずしもその実施形態に限定されるものではなく、図示していない場合、または明記されていない場合でも、任意の他の実施形態で実現することができる。
【００２８】
開示される音声システムおよび方法は、無線システムが、それぞれが異なる音声識別データを有する複数の音声ストリームを放送することを可能にする。この方法によって、聴覚システムは、所望の音声ストリームを検索して、それのみを受信することが可能となる。音声トラックを示すリクエストを受信すると、通信ユニットは、音声トラックを表す少なくとも１つの音声ストリームを示す構成データを決定し、聴覚システムに送信する。これによって、聴覚システムは、リクエストされた音声トラックを再生することが可能となる。
【００２９】
聴覚システムは、聴覚装置と、必要に応じて付属装置を備えていてもよい。従って、聴覚システムに構成データを送信するステップは、聴覚システムの聴覚装置および／または付属装置に構成データを送信するステップを備えていてもよい。聴覚システムに構成データを送信するステップは、電子メール、テキストメッセージ、例えばＳＭＳとして、構成データを送信するステップを備えていてもよい。聴覚システムの聴覚装置は、聴覚装置のユーザの聴力損失または聴覚障害を補償するように構成されたプロセッサを備えていてもよい。
【００３０】
構成データは、リクエストされた音声トラックを表す音声ストリームを受信または聴き取ることができるように、聴覚システムが聴覚装置の無線受信機をセットアップまたは制御することを可能にしてもよい。
【００３１】
音声トラックは音響信号、例えば空港での案内、映画の音声トラック、スピーチ、および／または楽曲である。
【００３２】
音声ストリームは、音声トラックを表す電磁信号である。送信機は、１つまたはそれ以上の音声ストリームを送信する。音声ストリームは、音声ストリームデータと、音声識別データを備えており、音声ストリームデータは、音声トラックを表している。音声識別データ（音声ＩＤ）は、特定の音声ストリームの識別を可能にする、あるいは特定の音声ストリームの識別に使用されるデータである。
【００３３】
音声識別データ（音声ＩＤ）は、送信機ＩＤ、送信機グループＩＤ、音声グループＩＤ、音声タイプＩＤ、および音声プロトコルＩＤのうちの、１つまたはそれ以上を備えていてもよい。
【００３４】
送信機識別データ（送信機ＩＤ）は、無線システムの特定の送信機の識別を可能する、または識別に使用されるデータである。
【００３５】
送信機グループ識別データ（送信機グループＩＤ）は、無線システムの送信機のグループの識別を可能にする、または識別に使用されるデータである。送信機のグループは、複数の送信機を備える。送信機は、音声トラック、選択されたエリアでの位置などに基づいてグループ化されていてもよい。送信機の第１のグループは、同一の音声トラックを異なる音声ＩＤとともにストリーム配信する送信機によって形成されていてもよい。
【００３６】
音声グループ識別データ（音声グループＩＤ）は、聴覚システムのユーザに関連する音声ストリームのグループの識別を可能にする、または識別に使用されるデータである。音声グループＩＤは、音声トラックまたは音声トラックの一部を示すデータ（音声トラックＩＤ）を備えていてもよい。音声グループＩＤは、言語を示すデータを備えていてもよい。
【００３７】
音声タイプ識別データ（音声タイプＩＤ）は、音声タイプの識別を可能にする、または識別に使用されるデータである。音声タイプＩＤは、対象とする音声ストリームを聴き取ることが可能な聴覚装置のモデル／メーカを表していてもよい。
【００３８】
音声プロトコル識別データ（音声プロトコルＩＤ）は、音声プロトコル、例えば符号化形式、周波数、音声ストリームの暗号化または復号化キー、または音声ストリームの他の物理的特性の識別を可能にする、または識別に使用されるデータである。
【００３９】
音声トラック（例えば映画のサウンドトラック）は、複数の送信機ユニットのグループを用いて放送されてもよい。すなわち、複数の送信機ユニットは、同一の音声ストリームデータを、異なる音声ＩＤとともに送信してもよい。複数の送信機ユニットが同一の音声ストリームデータをストリーム配信することで、受信機で信頼性の高い信号を受信する性能が向上する。複数の送信機ユニットのグループのそれぞれの送信機ユニットは、音声ＩＤによって識別可能な音声ストリームを放送する。複数の送信機ユニットのグループは、音声ＩＤの一部として放送される共通の送信機グループＩＤによって識別されてもよい。
【００４０】
送信機ユニットは、１つまたはそれ以上のアンテナを備えていてもよい。送信機ユニットは、同時に複数の音声ストリームをストリーム配信するように構成されていてもよい。これは、例えば複数のアンテナを備える送信機ユニットによって実現されてもよい。
【００４１】
構成データは、音声ＩＤまたはその一部を備えていてもよい。具体的には、構成データは、リクエストされた音声ストリームを送信する送信機ユニットを識別する情報（送信機ＩＤ）を含んでいてもよい。そのかわりに、あるいはそれに加えて、構成データは、例えば聴覚装置が最適な音声ストリーム（送信機）、例えば最良の信号対雑音比の音声ストリームを提供する送信機を選択できるようにするため、送信機のグループの情報（送信機グループＩＤ）を含んでいてもよい。
【００４２】
聴覚システムは、例えばモデルやタイプに応じて、異なるものであってもよい。従って、構成データは、第１の聴覚システムのモデルまたはタイプについての第１の構成データと、第２の聴覚システムのモデルまたはタイプについての第２の構成データを備えていてもよい。従って、聴覚システムは、特定の聴覚システムに適した構成データを選択してもよい。構成データは、異なる聴覚システム／モデルに適した、少なくとも第３のおよび／または第４の構成データを備えていてもよい。２つ以上の構成データをデフォルトで送信することにより、聴覚システムが適切な構成データを受信するために付加的な情報を送信する必要なしに、聴覚システムの複数のタイプまたはモデルをサポートすることができる。従って、リクエストデータの簡素化が可能となる。
【００４３】
通信ユニットから聴覚システムへの構成データの送信は、様々な方法により行うことができる。
【００４４】
例えば、通信ユニットは、聴覚システムの聴覚装置および／または付属装置に構成データを送信する無線送信機を備えていてもよい。無線送信機は、聴覚システムの聴覚装置または付属装置に構成データを送信するように構成されていてもよい。そのかわりに、あるいはそれに加えて、通信ユニットは、聴覚システムに音声トラックを示すリクエストに基づいた構成データを送信するように構成された近距離無線通信装置を備えていてもよい。通信ユニットは、聴覚システムの聴覚装置および／または付属装置に構成データを送信するように構成されたウェブサーバを備えていてもよい。
【００４５】
例えばブルートゥース伝送や、聴覚装置リモコンやスマートフォンといった付属装置の利用など、構成データを送信する他の様々なやり方が存在する。
【００４６】
通信ユニットは、聴覚システムの近距離無線通信装置に構成データを送信するように構成された近距離無線通信装置を備えていてもよい。
【００４７】
聴覚システムが通信ユニットの近距離無線通信装置の近傍、例えば４０ｃｍの範囲内に、または２０ｃｍの範囲内に、または１５ｃｍの範囲内に、または５ｃｍの範囲内に位置する場合、聴覚システムの近距離無線通信タグは、通信ユニットの近距離無線通信装置により送信された構成データを受信する。聴覚装置／システムは、リクエストされた音声トラックを表す少なくとも１つの音声ストリームを受信するために、受信された構成データに対応する受信機パラメータを設定してもよい。音声システムの近距離無線通信装置は、１３ＭＨｚから１４ＭＨｚまでの範囲内の周波数で、構成データを受信および／または送信するように構成されていてもよい。
【００４８】
通信ユニットは、無線の送受信機または送信機を備えていてもよく、それによって、無線プロトコルを使用して、実現されるべき構成データの送信が可能となる。
【００４９】
例示的な通信ユニットにおいては、構成データは、例えば２．４ＧＨｚから２．５ＧＨｚまでの範囲内の、８００ＭＨｚから１ＧＨｚまでの範囲内の、３．６ＧＨｚから３．７ＧＨｚまでの範囲内の、４．９ＧＨｚから５．９ＧＨｚまでの範囲内の、および／または１３ＭＨｚから１４ＭＨｚまでの範囲内の、１またはそれ以上の周波数で、無線により送信されてもよい。
【００５０】
通信ユニットは、聴覚システムの携帯電話に、テキストメッセージ、例えばＳＭＳまたは電子メールを送信することによって、構成データの送信を可能にするユニットを備えていてもよい。さらに、リクエストデータは、電話番号および／または電子メールアドレスを備えていてもよい。
【００５１】
無線システムは、送信機ユニットに接続され、送信機ユニットを制御するように構成された、無線システム制御ユニットを備えていてもよい。無線システム制御ユニットはさらに、通信ユニットが無線システムから音声ストリームに関する情報を取得できるようにするために、通信ユニットに接続されていてもよい。
【００５２】
無線システム制御ユニットは、送信機ユニットのそれぞれの構成を決定してもよく、どの音声ストリームデータをどのユニットからストリーム配信するかを決定するように構成されていてもよい。さらに、無線システム制御ユニットは、音声ストリームの一部として送信されるべき音声ＩＤを、例えばそれぞれの送信機に制御信号を送信することによって、制御してもよい。
【００５３】
例えば通信ユニットで受信される、音声トラックを示すリクエストは、対象とする音声システムに応じて、様々なソースから受信されてもよい。音声システムは、通信ユニットに接続されたユーザインターフェースユニットを備えていてもよい。ユーザインターフェースユニットは、少なくとも１つの音声トラックを示すリクエストを受け入れ、受け入れたリクエストを通信ユニットへ送信するように構成されていてもよい。ユーザインターフェースユニットは、音声システムのユーザからリクエストを受け入れるように構成されていてもよい。ユーザインターフェースは、タッチスクリーン、キーボード、およびマウスのうちの１つまたはそれ以上を備えていてもよい。ユーザインターフェースは、モニタ、またはＬＥＤディスプレイ、プラズマスクリーン、ＯＬＥＤディスプレイを含む他のディスプレイを備えていてもよい。
【００５４】
そのかわりに、あるいはそれに加えて、通信ユニットは、聴覚システムまたはユーザからのリクエストを、例えばインターネット、ローカルエリアネットワーク、電話回線または近距離無線通信装置を介して、受信してもよい。
【００５５】
例示的な音声システムにおいては、少なくとも１つの音声トラックを示すリクエストは、リクエストを含むテキストメッセージ、例えばＳＭＳをユーザが送信することによって、通信ユニットに送信されてもよい。
【００５６】
少なくとも１つの音声トラックを示すリクエストは、聴覚システムデータを備えていてもよい。聴覚システムデータは、聴覚システムの情報、例えば聴覚装置のモデル、聴覚装置のタイプ、付属装置がある場合には、付属装置のタイプ、電話番号および電子メールを含んでいてもよい。これにより、音声システムが様々な方法で構成データを送信することが可能となる。また、そこからリクエストを受信した聴覚システムに特化した構成データを送信する機能を有する音声システムを提供することができる。
【００５７】
音声システムは、音声トラック、音声ストリームデータおよび／または音声ＩＤを格納する、または備えるように構成されたデータベースユニットを備えていてもよい。データベースユニットは、無線システムについての構成データを、例えばルックアップテーブルの形で、備えていてもよい。
【００５８】
データベースユニットは、通信ユニットに接続されていてもよい。例えば通信ユニットでの、音声トラックを示すリクエストの受信に応じて、聴覚システムについての構成データを決定するステップは、リクエストされた音声トラックに対応する構成データについてデータベースユニットを検索するステップを備えていてもよい。
【００５９】
データベースユニットは、例えば無線システム制御ユニットを介して、無線システムに接続されていてもよい。無線システムは、それぞれの送信機ユニットの現在の状態の情報を含むデータを、データベースユニットに送信してもよい。無線システムからデータベースユニットへ送信される情報は、例えば、現在送信されている音声ストリーム、音声ＩＤ、音声グループＩＤ、送信機ＩＤ、送信機グループＩＤなどについての情報を含んでいてもよい。
【００６０】
そのかわりに、あるいはそれに加えて、データベースユニットは、無線システム構成データを格納する、または備えるように構成されていてもよい。それによって、無線システムは、データベースユニットから、送信機ユニットで送信される内容を示すデータを読み出してもよい。
【００６１】
データベースユニットは、ユーザインターフェースユニットに接続されていてもよい。ユーザインターフェースユニットは、無線システムの送信機ユニットの制御を示すデータを、データベースユニットに送信してもよい。そして、無線システムは、例えば送信機ユニットから送信される音声ストリーム、音声ＩＤ、音声グループＩＤなどについての情報を、データベースユニットから読み出してもよい。
【００６２】
さらに、あるいはそのかわりに、通信ユニットは、聴覚システムの付属装置に、少なくとも１つの音声トラックを示すリクエストに基づいた構成データを送信するように構成されていてもよい。付属装置と音声システムの通信ユニットの間の通信は、インターネット、電話回線、ローカルエリアネットワーク、または他の技術的手段を介していてもよい。それに続いて、付属装置は、聴覚装置への構成データの伝送が可能であってもよく、それによって、聴覚装置がリクエストされた音声トラックを表す少なくとも１つの音声ストリームを受信して、受信された音声ストリームにより表される音声トラックを再生することが可能となる。
【００６３】
付属装置は、例えば携帯電話、タブレットコンピュータ、スマートフォン、聴覚装置リモコンユニットまたはカードキーであってもよい。
【００６４】
無線音声ストリームを送信する音声システムを動作させる方法は、無線システムの送信機ユニットから、少なくとも１つまたは複数の無線音声ストリームを、それぞれの音声ＩＤとともに送信するステップを備えていてもよい。上記の方法は、少なくとも１つの音声トラックを示すリクエストを受信するステップと、少なくとも１つの聴覚システムに、少なくとも１つの音声トラックについてのリクエストに基づく構成データを送信するステップを備えている。
【００６５】
少なくとも１つの音声トラックを示すリクエストを受信するステップは、通信ユニットで少なくとも１つの音声トラックを示すリクエストを受信するステップを備えていてもよい。
【００６６】
構成データは、リクエストされた音声トラックを表す音声ストリームの音声ＩＤの少なくとも一部を備えていてもよい。
【００６７】
例示的な方法において、無線システムは、それぞれの音声ストリームに音声ＩＤを割り当てる。無線システムは、音声ＩＤを通信ユニットへ送信する。通信ユニットが少なくとも１つの音声トラックを示すリクエストを受信すると、通信ユニットは聴覚システムに少なくとも１つの音声トラックを示すリクエストに基づいた構成データを送信する。聴覚システムは、構成データを受信し、構成データに従って聴覚装置を構成し、無線システムの送信機ユニットから対応する音声ストリームを受信し、それによって、音声ストリームデータによって表される音声トラックを再生することが可能となる。
【００６８】
上記の方法は、通信ユニットの近距離無線通信装置と聴覚システムの近距離無線通信装置を介して、通信ユニットから聴覚システムへ構成データを送信するステップを備えていてもよい。
【００６９】
例示的な方法では、構成データを送信するステップは、聴覚システムを通信ユニットの近距離無線通信装置の近傍に配置することによって実現されてもよい。通信ユニットの複数の近距離無線通信装置の選択は、リクエストされた音声トラックを選択する方法としての役割を果たしてもよい。
【００７０】
聴覚システムに構成データを送信するステップは、聴覚システムの付属装置、例えば携帯電話、タブレットコンピュータ、スマートフォン、聴覚装置リモコンユニットまたはカードキーに、構成データを送信するステップを備えていてもよい。
【００７１】
例示的な方法において、通信ユニットは、例えば電話回線、インターネット、ローカルエリアネットワークまたは近距離無線通信装置を介して、付属装置に構成データを送信する。そして、付属装置は、聴覚装置に構成データを送信することが可能である。これにより、聴覚装置と音声システムの間の、電力を消費するペアリング手順が回避され、あるいは少なくとも簡素化される。
【００７２】
音声ストリームは、選択された周波数で、例えば２．４ＧＨｚから２．５ＧＨｚまでの範囲内の周波数で、または８００ＭＨｚから１ＧＨｚまでの範囲内の周波数で、送信されてもよい。他の適切な周波数は、３．６ＧＨｚから３．７ＧＨｚまでの範囲内、および／または４．９ＧＨｚから５．９ＧＨｚまでの範囲内にあってもよい。
【００７３】
図１は、聴覚システム６に無線音声ストリームを送信する例示的な音声システム２を模式的に示している。聴覚システム６は、聴覚装置６Ａと、必要に応じて付属装置６Ｂを備えている。音声システム２は、複数の送信機ユニット１０，１０’，１０’’，１０’’’を備える無線システム８を備えている。それぞれの送信機ユニット１０，１０’，１０’’，１０’’’は、音声ストリーム１６，１６’，１６’’，１６’’’を、音声ストリーム１６，１６’，１６’’，１６’’’を示す音声ＩＤとともに、送信するように構成されている。音声システム２はさらに、聴覚システム６に構成データ１２を送信する通信ユニット４を備えている。通信ユニット４は、聴覚システム６から音声トラックを示すリクエスト１１を受信するように構成されている。通信ユニット４は、音声トラックを示すリクエスト１１に基づいて聴覚システム６についての構成データを決定するように構成されている。通信ユニット４はさらに、聴覚システム６がリクエストにおいて指定された音声トラックを表す音声ストリームの受信のための構成ができるように、聴覚システム６に構成データ１２を送信するように構成されている。リクエスト１１と構成データ１２は、通信ユニット４と聴覚システム６の間で直接的に送信されてもよい。リクエスト１１と構成データ１２の一方または両方は、ネットワーク（図示せず）、例えばインターネット、またはローカルエリアネットワークを介して、送信されてもよい。
【００７４】
聴覚システム６は、送信機ユニット１０，１０’，１０’’，１０’’’からそれぞれ送信された音声ストリーム１６，１６’，１６’’，１６’’’を受信する。通信ユニット４からの構成データ１２は、聴覚システム６が、簡単で省電力な方法で、リクエストされた音声トラックを表す音声ストリームを受信し、選択するために、聴覚装置６Ａの受信機／送受信機を構成することを可能にする。従って、聴覚装置６Ａは、例えば聴覚装置のユーザの聴力損失または聴覚障害を補償する信号処理の後に、リクエストされた音声トラックを再生することが可能である。
【００７５】
無線システム８と通信ユニット４の間の通信リンク１４は、通信ユニットが無線システムの情報を取得し、それによって送信機ユニット１０，１０’，１０’’，１０’’’の音声ストリーム１６，１６’，１６’’，１６’’’と聴覚システムから受信された少なくとも１つの音声トラックを示すリクエスト１１に対応する構成データを決定することを可能にする。
【００７６】
聴覚システム６は、少なくとも１つの聴覚装置６Ａと、必要に応じて付属装置６Ｂ、例えば携帯電話、タブレットコンピュータ、スマートフォン、聴覚装置リモコンユニット、またはカードキーを備えていてもよい。付属装置６Ｂおよび聴覚装置６Ａは、互いの間でデータを送信してもよい。付属装置６Ｂと聴覚装置６Ａの間のデータの送信は、例えばブルートゥース、ＷｉＦｉあるいは近距離無線通信を用いて、無線により行われてもよい。
【００７７】
通信ユニット４は、無線によって、構成データ１２を送信および／または少なくとも１つの音声トラックを示すリクエスト１１を受信してもよい。
【００７８】
音声システム２は、必要に応じてさらに、近距離無線通信装置、ユーザインターフェースユニット、無線システム制御ユニット、および／またはデータベースユニットのうちの、１つまたはそれ以上を備えていてもよい。これらのユニットを備える音声システムが、例えば図２−図４に図示された例示的な音声システムにおいて例示されている。
【００７９】
図２は、例示的な音声システムを模式的に示している。音声システム２’は、図１に示す音声システム２と同様の構成を備えている。通信ユニット４’は、聴覚システム６への、および／または聴覚システム６からの、ショートレンジデータを受信および／または送信する、近距離無線通信装置１８を備えている。通信ユニット４’は、近距離無線通信装置１８を介して、聴覚システム６からの、音声トラックを示すリクエスト１１’を受信する。通信ユニット４’は、聴覚システム６に、近距離無線通信装置１８を介して、受信されたリクエスト１１’に基づいた構成データ１２’を送信する。そして、聴覚システム６は、構成データ１２’に従って構成されて、聴覚システム６はリクエストされた音声トラックを再生することが可能となる。
【００８０】
図３は、例示的な音声システムを模式的に示している。音声システム２’’は、図２に示す音声システム２’と同様の構成を備えている。音声システム２’’は、オプションのユーザインターフェースユニット２２を備えており、無線システム８’は、オプションの無線システム制御ユニット２０をさらに備えている。
【００８１】
無線システム制御ユニット２０は、送信機ユニット１０，１０’，１０’’，１０’’’を制御するように構成されている。例えば、無線制御システム制御ユニット２０は、それぞれの送信機ユニット１０，１０’，１０’’，１０’’’が、どの音声トラックをストリーム配信し、どの音声ＩＤと音声グループＩＤを送信するかなどを制御する。無線システム８’の送信機ユニット１０，１０’，１０’’，１０’’’はそれぞれ、無線システム制御ユニット２０によって制御されて、音声ＩＤとともに音声ストリーム１６，１６’，１６’’，１６’’’を送信する。通信ユニット４’は、ユーザインターフェースユニット２２から、音声トラックを示すリクエスト１１’’を受信する。通信ユニット４’は、無線システム８’の無線システム制御ユニット２０から、無線システムの情報１４’を取得する。無線ユニット４’は、受信されたリクエスト１１’’と無線システムの情報１４’に基づいた構成データ１２’を、近距離無線通信装置１８を介して、聴覚システム６に送信する。そして、聴覚システム６は、構成データ１２’に従って構成されて、聴覚システム６はリクエストされた音声トラックを再生することが可能となる。近距離無線通信装置１８は、送信機の一例であることが理解されるべきである。他の例示的な送信機は、ブルートゥース送信機（２．４−２．５ＧＨｚ）を含んでいてもよい。例示的な通信ユニットにおいて、構成データはインターネットを介して送信される。すなわち、通信ユニットは、ウェブインターフェース（図示せず）を備えていてもよい。
【００８２】
図４は、例示的な音声システムを模式的に示している。音声システム２’’’は、図３に示す音声システム２’’と同様の構成を備えている。音声システム２’’’は、オプションのデータベースユニット２４を備えている。ユーザインターフェースユニット２２は、データベースユニット２４にそれぞれの送信機ユニット１０，１０’，１０’’，１０’’’で送信されるべき音声ストリーム、例えば音声トラック、音声ＩＤおよび音声グループＩＤを示す構成データ２６を送信する。無線システム制御ユニット２０は、データベースユニット２４から無線システム構成データ２８を取得し、無線システム構成データ２８に従って、無線システムの送信機ユニット１０，１０’，１０’’，１０’’’を制御する。音声トラックを示すリクエスト１１’’を受信すると、通信ユニット４’はデータベースユニット２４から関連する情報１４’’を取得する。通信ユニット４’は、近距離無線通信装置１８または他の送信機を介して、聴覚システム６に、受信されたリクエスト１１’’と情報１４に基づいた構成データ１２’を送信する。そして、聴覚システム６は、構成データ１２’に従って構成されて、聴覚システム６はリクエストされた音声トラックを再生することが可能となる。
【００８３】
図５は、聴覚システムに無線音声ストリームを送信する音声システムを動作させる例示的な方法１００のフローチャートを示している。音声システムは、通信ユニットと無線システムを備えている。無線システムは、少なくとも第１の音声ストリームを、第１の音声ストリームを示す第１の音声ＩＤとともに送信する、複数の据え置き型の送信機ユニットを備えている。方法１００は、少なくとも１つの音声トラックを示すリクエストを受信するステップ１０２と、少なくとも１つの音声トラックを示すリクエストに基づいて、聴覚システムの構成データを決定するステップ１０４と、聴覚システムがリクエストにおいて示された音声トラックを表す少なくとも１つの音声ストリームを受信できるようにするために、聴覚システムに構成データを送信するステップ１０６を備えている。
【００８４】
リクエスト１０２は、音声システムが、リクエストにおいて示される音声トラックを表す少なくとも１つの音声ストリームを識別することを可能にするデータを備えていてもよい。リクエストは、例えば特定の時刻に開始する特定の映画、あるいは空港における特定のフライトに関連するあらゆる案内についての音声トラックを備えていてもよく、あるいは示していてもよい。さらに、リクエストは、聴覚システムデータ、例えば聴覚装置のモデル、聴覚装置のタイプ、および付属装置がある場合には、付属装置のタイプ、電話番号および／または電子メールを備えていてもよい。リクエスト１０２は、テキストメッセージ、例えばＳＭＳや電子メールを送信することによって送信されてもよいし、あるいは、インターネット、ローカルエリアネットワーク、ブルートゥース送受信機、および／または近距離無線通信装置を介して送信されてもよい。
【００８５】
構成データの決定１０４は、音声システムの無線システムおよび／またはデータベースから、音声ストリームについての情報を読み出すことを備えていてもよい。構成データは、受信されたリクエストと対応する音声ストリームの情報に基づいていている。構成データの決定は、構成データを特に対象とする聴覚装置および／または聴覚システムに対してマッピングすることができるように、リクエスト１０２の一部として受信された聴覚システムデータを利用することを備えていてもよい。
【００８６】
聴覚システムへの構成データの送信１０６は、聴覚システムの聴覚装置への、または聴覚システムの付属装置への、データの送信を備えていてもよい。構成データの送信１０６の方法は、テキストメッセージ、例えばＳＭＳや電子メールの送信を備えていてもよい。あるいは、構成データは、インターネット、ローカルエリアネットワーク、ブルートゥース送受信機、および／または近距離無線通信装置を介して送信されてもよい。
【００８７】
構成データの送信１０６の方法は、リクエスト１０２の内容に基づいて選択されてもよい。従って、例えば、リクエスト１０２が電子メールアドレスを備えている場合、構成データは、その電子メールアドレスに送信されてもよい。リクエスト１０２が構成データの送信１０６のための複数の方法を指定する情報を備えている場合、構成データの送信１０６の方法は、リクエスト１０２に含まれる方法の優先順位リストから選択されてもよい。
【００８８】
聴覚システムに構成データが送信されることで、聴覚システムは、簡単で省電力な方法で、リクエストされた音声トラックを表す音声ストリームを受信し、選択するために、聴覚システムの聴覚装置の受信機／送受信機を構成することが可能となる。従って、聴覚装置は、例えば聴覚装置のユーザの聴力損失や聴覚障害を補償する信号処理の後に、リクエストされた音声トラックを再生することが可能となる。
【００８９】
送信される構成データ１０６は、音声ＩＤまたはその一部を備えていてもよい。具体的には、構成データは、リクエストされた音声ストリームを送信する送信機ユニットを識別する情報（送信機ＩＤ）を含んでいてもよい。そのかわりに、あるいはそれに加えて、構成データは、例えば聴覚装置が最適な音声ストリームおよび／または送信機、例えば最良の信号対雑音比を提供する送信機を選択できるようにするために、送信機のグループの情報（送信機グループＩＤ）、音声ストリームのグループの情報（音声グループＩＤ）を含んでいてもよい。
【００９０】
以下の項目の何れかによる方法および音声システムも開示される。
【００９１】
（項目１）
聴覚システムに無線音声ストリームを送信する音声システムを動作させる方法であって、
音声ストリームが、音声トラックを表しており
前記音声システムが、通信ユニットと無線システムを備えており、
前記無線システムが、少なくとも、第１の音声ストリームを、前記第１の音声ストリームを示す第１の音声識別データとともに送信し、第２の音声ストリームを、前記第２の音声ストリームを示す第２の音声識別データとともに送信する、複数の据え置き型の送信機ユニットを備えており、
前記複数の据え置き型の送信機ユニットが、第１の送信機ユニットと第２の送信機ユニットを含んでおり、
前記方法は、
少なくとも１つの音声トラックを示すリクエストを受信するステップと、
少なくとも１つの音声トラックを示す前記リクエストに基づいて、前記聴覚システムについての構成データを決定するステップと、
前記聴覚システムが前記リクエストにおいて示された前記音声トラックを表す少なくとも１つの音声ストリームを受信できるようにするために、前記聴覚システムに前記構成データを送信するステップを備えている方法。
【００９２】
（項目２）
前記聴覚システムに前記構成データを送信する前記ステップが、前記聴覚システムの聴覚装置に前記構成データを送信するステップを備えている、項目１の方法。
【００９３】
（項目３）
前記聴覚システムに前記構成データを送信する前記ステップが、２．４ＧＨｚから２．５ＧＨｚまでの範囲内の、および／または８００ＭＨｚから１ＧＨｚまでの範囲内の、および／または１３ＭＨｚから１４ＭＨｚまでの範囲内の周波数で、前記構成データを送信するステップを備えている、項目１または２の方法。
【００９４】
（項目４）
前記構成データが、前記リクエストにおいて示された前記音声トラックを表す少なくとも１つの音声ストリームの音声識別データの少なくとも一部を備えている、項目１から３の何れか一項の方法。
【００９５】
（項目５）
前記音声識別データが、送信機識別データ、送信機グループ識別データ、音声グループ識別データ、音声タイプ識別データ、および音声プロトコル識別データのうちの１つまたはそれ以上を備えている、項目１から４の何れか一項の方法。
【００９６】
（項目６）
前記構成データが、第１の聴覚システムのモデルまたはタイプについての第１の構成データと、第２の聴覚システムのモデルまたはタイプについての第２の構成データを備えている、項目１から５の何れか一項の方法。
【００９７】
（項目７）
少なくとも１つの音声トラックを示す前記リクエストが、聴覚システムデータを備えている、項目１から６の何れか一項の方法。
【００９８】
（項目８）
前記聴覚システムに前記構成データを送信する前記ステップが、前記聴覚システムの付属装置に前記構成データを送信するステップを備えている、項目１から７の何れか一項の方法。
【００９９】
（項目９）
前記付属装置が、携帯電話、タブレットコンピュータ、スマートフォン、聴覚装置リモコンユニット、およびカードキーのグループから選択されている、項目８の方法。
【０１００】
（項目１０）
聴覚システムに無線音声ストリームを送信する音声システムであって、
音声ストリームが、音声トラックを表す電磁信号であって、
前記音声システムが、
複数の据え置き型の送信機ユニットを備える無線システムと、
前記聴覚システムに構成データを送信する通信ユニットを備えており、
前記複数の据え置き型の送信機ユニットが、少なくとも、第１の音声ストリームを、前記第１の音声ストリームを示す第１の音声識別データとともに送信するように構成されており、少なくとも、第２の音声ストリームを、前記第２の音声ストリームを示す第２の音声識別データとともに送信するように構成されており、
前記複数の据え置き型の送信機ユニットが、第１の送信機ユニットと第２の送信機ユニットを備えており、
前記通信ユニットが、
少なくとも１つの音声トラックを示すリクエストを受信し、
少なくとも１つの音声トラックを示す前記リクエストに基づいて前記聴覚システムについての構成データを決定し、
前記聴覚システムが前記リクエストにおいて示された前記音声トラックを表す少なくとも１つの音声ストリームを受信できるようにするために、前記聴覚システムに前記構成データを送信するように構成されている、音声システム。
【０１０１】
（項目１１）
前記通信ユニットが、前記聴覚システムの聴覚装置に前記構成データを送信する無線送信機を備えている、項目１０の音声システム。
【０１０２】
（項目１２）
前記通信ユニットが、前記聴覚システムに少なくとも１つの音声トラックを示す前記リクエストに基づく前記構成データを送信するように構成された近距離無線通信装置を備えている、項目１０または１１の音声システム。
【０１０３】
（項目１３）
前記無線システムが、前記複数の送信機ユニットに接続されており、前記複数の送信機ユニットを制御するように構成された無線システム制御ユニットを備えている、項目１０から１２の何れか一項の音声システム。
【０１０４】
（項目１４）
前記音声システムが、前記通信ユニットに接続されたユーザインターフェースユニットをさらに備えており、
前記ユーザインターフェースが、少なくとも１つの音声トラックを示す前記リクエストを受け入れ、前記受け入れたリクエストを前記通信ユニットへ送信するように構成されている、項目１０から１３の何れか一項の音声システム。
【０１０５】
（項目１５）
前記通信ユニットが、前記聴覚システムの付属装置に、少なくとも１つの音声トラックを示す前記リクエストに基づいた前記構成データを送信するように構成されている、項目１０から１４の何れか一項の音声システム。
【０１０６】
特定の実施形態を示して説明してきたが、それらが特許請求の範囲に記載された発明を限定することを意図するものではないことが理解されるであろうし、様々な変更および修正がなされてもよいことが当業者には明らかであろう。従って、明細書および図面は限定的な意味ではなく、例示的に解釈されるべきである。特許請求の範囲に記載された発明は、代替形態、修正形態、および均等形態をカバーすることを意図している。
【符号の説明】
【０１０７】
２，２’，２’’，２’’’  音声システム
４，４’  通信ユニット
６  聴覚システム
６Ａ  聴覚装置
６Ｂ  付属装置
８，８’  無線システム
１０  第１の送信機ユニット
１０’  第２の送信機ユニット
１０’’  第３の送信機ユニット
１０’’’  第４の送信機ユニット
１１，１１’，１１’’  音声トラックを示すリクエスト
１２，１２’  聴覚システムについての構成データ
１４，１４’，１４’’  通信ユニットでの無線システム情報の取得
１６  第１の音声ストリーム
１６’  第２の音声ストリーム
１６’’  第３の音声ストリーム
１６’’’  第４の音声ストリーム
１８  近距離無線通信装置
２０  無線システム制御ユニット
２２  ユーザインターフェースユニット
２４  データベースユニット
２６  データベースユニットへの構成データの送信
２８  無線システムでの無線システム構成データの取得
１００  音声システムを動作させる方法
１０２  少なくとも１つの音声トラックを示すリクエストを受信するステップ
１０４  構成データを決定するステップ
１０６  構成データを送信するステップ
【図１】
2014195244.tif 000003
【図２】
2014195244.tif 000004
【図３】
2014195244.tif 000005
【図４】
2014195244.tif 000006
【図５】
2014195244.tif 000007
【外国語明細書】
2014195244000001.pdf
2014195244000002.pdf
2014195244000003.pdf
2014195244000004.pdf